(57)【要約】      （修正有）【課題】正浸透膜法による淡水の製造方法において、正浸透膜面を目詰まりさせるスライムの発生を大幅に抑制できる水の脱塩処理方法及び装置を提供する。【解決手段】塩類を含有する被処理水１と、温度感応性薬剤を水に溶解した誘引溶液４とを半透膜３を介して接触させ、被処理水中の水を誘引溶液に移動させ、希釈誘引溶液５と膜濃縮水９を得る正浸透工程と、希釈誘引溶液を誘引溶液の下限臨界温度以上に加温する加温工程と、温度感応性薬剤を主体とする濃厚溶液層と、水を主体する希薄溶液層とに分離する重力分離工程と、濃厚溶液を誘引溶液の下限臨界温度以下に冷却した後、正浸透工程へ循環し、誘引溶液として再使用する冷却・循環工程と、希薄溶液を膜処理し、膜ろ過水８を得る膜処理工程を有する水の脱塩処理方法であって、被処理水、希釈誘引溶液、再使用される誘引溶液のうち、少なくともひとつを不活性ガスで曝気し溶存酸素を低減する脱塩処理方法。【選択図】図１
2016041412.tif 000002
【特許請求の範囲】
【請求項１】
塩類を含有する被処理水と、下限臨界温度を有する温度感応性薬剤を水に溶解した誘引溶液とを半透膜を介して接触させ、前記被処理水中の水を前記半透膜を通して前記誘引溶液に移動させ、水で希釈された希釈誘引溶液と膜濃縮水を得る正浸透工程と、前記希釈誘引溶液を前記誘引溶液の下限臨界温度以上の温度まで加温する加温工程と、前記加温工程で相分離した温度感応性薬剤を主体とする濃厚溶液層と、水を主体とし少量の温度感応性薬剤を含有する希薄溶液層とに重力分離する重力分離工程と、前記重力分離工程で分離された濃厚溶液を前記誘引溶液の下限臨界温度以下の温度まで冷却した後、前記正浸透工程へ循環し、誘引溶液として再使用する冷却・循環工程と、前記重力分離工程で分離された希薄溶液を膜処理し、膜ろ過水を得る膜処理工程を有する水の脱塩処理方法であって、
前記被処理水、前記希釈誘引溶液、前記冷却・循環工程を経て再使用される誘引溶液のうち、少なくともひとつを不活性ガスで曝気し溶存酸素を低減することを特徴とする水の脱塩処理方法。
【請求項２】
前記不活性ガスが、純度９７％以上の窒素であることを特徴とする請求項１に記載の水の脱塩処理方法。
【請求項３】
前記純度９７％以上の窒素が、ＰＳＡ法により空気から生成されたものであることを特徴とする請求項２に記載の水の脱塩処理方法。
【請求項４】
請求項１に記載の水処理方法において、曝気後の排出ガスを原料ガスとしてＰＳＡ法により曝気用不活性ガスを生成することを特徴とする水の脱塩処理方法。
【請求項５】
請求項１に記載の水処理方法において、曝気後の排出ガスと純粋な不活性ガスとの混合ガスを曝気用不活性ガスとすることを特徴とする水の脱塩処理方法。
【請求項６】
塩類を含有する被処理水と、下限臨界温度を有する温度感応性薬剤を水に溶解した誘引溶液とを半透膜を介して接触させ、前記被処理水中の水を前記半透膜を通して前記誘引溶液に移動させ、水で希釈された希釈誘引溶液と膜濃縮水を得る順浸透膜処理装置と、前記希釈誘引溶液を前記誘引溶液の下限臨界温度以上の温度まで加温する加温手段と、前記加温手段で加温され相分離した温度感応性薬剤を主体とする下層液と、水を主体とし少量の温度感応性薬剤を含有する上層液とに重力分離する重力分離手段と、前記重力分離手段で分離された下層液を前記誘引溶液の下限臨界温度以下の温度まで冷却した後、前記順浸透工程へ循環し、誘引溶液として再使用する冷却・循環手段と、前記重力分離工程で分離された上層液を膜処理し、膜ろ過水を得る膜処理装置を有する水の脱塩処理装置であって、
前記被処理水、前記希釈誘引溶液、前記冷却・循環手段を経て再使用される誘引溶液のうち、少なくともひとつを不活性ガスで曝気し溶存酸素を低減する曝気手段を有することを特徴とする水の脱塩処理装置。
【請求項７】
前記不活性ガスが、純度９７％以上の窒素であることを特徴とする請求項６に記載の水の脱塩処理装置。
【発明の詳細な説明】
【技術分野】
【０００１】
本発明は、海水から淡水を製造する水の脱塩処理方法およびそれに使用する装置に関するものである。
【背景技術】
【０００２】
海水から半透膜を用いて淡水を製造する方法は種々知られているが、海水に浸透圧以上の圧力を加えて水を強制的に透過させる逆浸透法が主に開発されてきた。しかし、この方法は高圧に加圧する必要があるため、設備費および運転費にコストがかかるという問題点がある。そこで、半透膜を介して海水と海水より高濃度の塩溶液を接触させ、加圧せずとも浸透圧により海水中の水をこの塩溶液に移動させ、分離、回収することにより淡水を製造する方法が開発されている。（特許文献１、２）。
【０００３】
特許文献１の方法は、半透膜を介して海水と反対側にアンモニアと二酸化炭素を溶解して得られる塩溶液を流して、海水中の水を半透膜を通過させて該塩溶液に移動させ、得られた希釈塩溶液をイオン交換膜や蒸留塔等を用いてアンモニウムイオンと炭酸イオンを個別に分離して浄水を得るとともに、分離したアンモニウムイオンと炭酸イオンを該塩溶液に溶解して半透膜の元の部屋に戻す方法である。
【０００４】
特許文献２の方法は、下限臨界温度を有する温度感応性物質を溶質として用いた誘引溶液を用いており、図２に示すように、海水２１を正浸透システム３０に送って、そこで半透膜を介して誘引溶液２４と接触させて海水２１中の水を浸透圧により半透膜を透過させて誘引溶液２４へ移動させる。水が誘引溶液に移動して残った濃縮海水２２は正浸透システム３０から流出する。一方、海水中の水で希釈された希釈誘引溶液２５は加熱器を備えた沈殿システム３４に送られ、そこで重力分離あるいは沈殿を生じた希釈誘引溶液はポンプ３７で加圧されてろ過システム３２に送られる。その際、溶質の下限臨界温度より低い温度の液２９を添加することができる。ろ過システム３２で濃縮された誘引溶液２４は正浸透システム３０に返送される。一方、ろ過された膜ろ過水２８は後処理部３３でさらに精製されて飲料水となる。下限臨界温度を有する温度感応性物質には、ポリエチレングリコールやポリプロピレングリコールが使用され、ろ過システムのろ材にはナノろ過膜や逆浸透膜が使用される。
【先行技術文献】
【特許文献】
【０００５】
【特許文献１】特開２０１１−８３６６３号公報
【特許文献２】米国特許第２０１０／０１５５３２９Ａ１号明細書
【発明の概要】
【発明が解決しようとする課題】
【０００６】
特許文献１の方法では、誘引物質（例えば炭酸アンモニウム）の分離、回収を蒸発法で行うが、その際、アンモニアおよび同伴する水分の蒸発潜熱が多大で、膨大なエネルギーを要しコストも高い。さらに、蒸発設備サイズが極めて大きく、大量（例えば１０万ｍ３／日）の飲料水製造には不向きである。また、投入エネルギーが大きいため熱交換器のサイズも大きくなり、大量処理には不向きである。さらに、炭酸アンモニウムを用いる場合には正浸透膜からのバックフローによって膜濃縮水を介して環境中に漏洩する誘引物質が窒素を含むため、富栄養化の原因となる。
【０００７】
このような問題の発生しない方法として、近年、特許文献２の方法が注目されている。しかし、この方法において、微生物によるスライムが正浸透膜表面に発生し、目詰まりを起こさせることにより、飲料水製造量が低下することが明らかになった。
【０００８】
そこで、本発明の目的は、温度感応性物質を溶質とする誘引溶液を用いた正浸透膜法による淡水の製造方法において、正浸透膜と接する液中の溶存酸素を低減し、正浸透膜面を目詰まりさせるスライムの発生を大幅に抑制することのできる水の脱塩処理方法および装置を提供することにある。
【課題を解決するための手段】
【０００９】
本発明は、塩類を含有する被処理水と、下限臨界温度を有する温度感応性薬剤を水に溶解した誘引溶液とを半透膜を介して接触させ、前記被処理水中の水を前記半透膜を通して前記誘引溶液に移動させ、水で希釈された希釈誘引溶液と膜濃縮水を得る正浸透工程と、前記希釈誘引溶液を前記誘引溶液の下限臨界温度以上の温度まで加温する加温工程と、前記加温工程で相分離した温度感応性薬剤を主体とする濃厚溶液層と、水を主体とし少量の温度感応性薬剤を含有する希薄溶液層とに重力分離する重力分離工程と、前記重力分離工程で分離された濃厚溶液を前記誘引溶液の下限臨界温度以下の温度まで冷却した後、前記正浸透膜工程へ循環し、誘引溶液として再使用する冷却・循環工程と、前記重力分離工程で分離された希薄溶液を膜処理し、膜ろ過水を得る膜処理工程を有する水の脱塩処理工程であって、
前記被処理水、前記希釈誘引溶液、前記冷却・循環工程を経て再使用される誘引溶液のうち、少なくともひとつを不活性ガスで曝気し溶存酸素を低減することを特徴とする水の脱塩処理方法とそれに係る装置を提供するものである。
【発明の効果】
【００１０】
本発明により、正浸透膜面を目詰まりさせるスライムの発生が大幅に抑制され、長期間、効率よく水の脱塩処理を行うことができる。
【図面の簡単な説明】
【００１１】
【図１】本発明の一実施態様を模式的に示すブロック図である。
【図２】公知の水処理方法の概略を示すブロック図である。
【図３】下限臨界温度と薬剤濃度の関係を示した曲線である。
【発明を実施するための形態】
【００１２】
図１に本発明の一実施態様を模式的に示す。
【００１３】
本発明の方法で処理される被処理水は水を溶媒とし、塩類を含有する溶液であり、海水、かん水などである。
【００１４】
ろ過工程
図１に示していないが、被処理水を必要によりまずろ過処理する。このろ過処理は精密ろ過膜を用いた濾過機で行い、ろ過膜は、精密ろ過膜として使用されている通常の膜を使用することができる。例えば、酢酸セルロース、ポリテトラフルオロエチレン、ポリスルホン、ポリ塩化ビニルなどの他、セラミック製の膜や多孔質ガラス製の膜なども利用できる。精密膜ろ過処理では、精密ろ過膜を通過した膜ろ過水と、膜を通過しないで残った膜濃縮水が得られる。
【００１５】
精密膜ろ過のほか、限外膜ろ過、砂ろ過等のろ過処理が用いられる。限外ろ過膜の材質は精密ろ過膜と同様のものが用いられる。
【００１６】
曝気工程
曝気工程は、正浸透工程における半透膜へのスライムの付着を抑制するために、ろ過処理した被処理水を不活性ガスで曝気し、液中の溶存酸素を低減する工程で、吹き込むガス中の酸素濃度を下げることにより、液中の溶存酸素を大幅に低減することができる。
【００１７】
水の飽和溶存酸素濃度は、その水が接するガス中の酸素との溶解平衡によって決まる。大気は酸素を約２１％含有し、海水の飽和溶存酸素濃度は、水温により差異があるが、５〜１０ｍｇ／Ｌ程度である。
【００１８】
これを不活性ガスで曝気することによって、被処理水中の酸素を追い出して不活性ガスと置換することにより溶存酸素濃度を低下させるのである。
【００１９】
不活性ガスは微生物の繁殖を抑制できるものであればよく、窒素、アルゴンなどを用いることができる。安価で好ましいものは窒素ガスであり、特に、純度が９７容量％以上のものが好ましい。圧力スイング吸着（ＰＳＡ）法で大気の酸素を除去することにより、窒素ガスを生成することが可能で、純度によりコストは変わるものの純度の９７％程度、さらには９９％程度の高純度の窒素ガスを経済的に生成することができる。不純物は、殆どが酸素ガスである。ＰＳＡ法は、各種のガスの分離に広く利用されており、空気から酸素と窒素を分離する方法は、特開平５−１５７２１号公報、特開平１０−３１４５３２号公報などに開示されている。
【００２０】
また、曝気後の排出ガスを原料ガスとしてＰＳＡ法で酸素を除去し、これを曝気用不活性ガスとして再利用することも好ましい。その外、曝気後の排出ガスに純粋な不活性ガス、例えば、９９％以上の窒素ガスを混合してこれを曝気用不活性ガスとして再利用することも可能である。
【００２１】
曝気の程度は、要は微生物によるスライムの発生を抑制できるように定められ、溶存酸素濃度が2ｍｇ／Ｌ以下、好ましくは1ｍｇ／Ｌ以下、特に好ましくは0.5ｍｇ／Ｌ以下になるようにするのがよい。不活性ガスとして例えば、高純度窒素ガスを使用し、曝気することにより、海水中の溶存酸素を窒素ガスの純度に応じた飽和濃度まで低減できる。例えば、大気平衡下の飽和濃度が６ｍｇ／Ｌの場合、純度９９％の窒素ガスで０．３ｍｇ／Ｌ、純度９６．５％の窒素ガスで１ｍｇ／Ｌまで海水中の溶存酸素を低減できる。
【００２２】
曝気装置には、内部に排気装置を備えた槽でよく、槽の形は問わないが通常は円筒形あるいは箱型である。内部に必要により撹拌機を設置することもできる。
【００２３】
なお、被処理水中の溶存酸素の一部は、後述する正浸透工程において水とともに正浸透膜を透過し、誘引溶液に混入するので、この不活性ガス曝気による溶存酸素の低減は、正浸透工程から流出する希釈誘引溶液や冷却工程で生成した誘引溶液に対して実施しても有効である。
【００２４】
正浸透工程
正浸透工程は、ろ過処理した被処理水と、温度感応性薬剤を水に溶解した高浸透圧の誘引溶液を半透膜を介して接触させ、前記被処理水中の水を前記半透膜を通して前記誘引溶液に移動させ、水で希釈された希釈誘引溶液と膜濃縮水を得る工程である。
【００２５】
温度感応性薬剤は、低温では親水性で水によく溶けるが、ある温度以上になると疎水性化し溶解度が低下する物質であり、水溶性〜不水溶性に変化する温度が下限臨界温度あるいは曇点と呼ばれる。この温度に達すると疎水性化した温度感応性薬剤が析出して白濁が起こる。
【００２６】
この温度感応性薬剤は、各種界面活性剤、分散剤、乳化剤などとして利用されており、例示すれば、アルコール、アルキル基または脂肪酸とエチレンオキサイドの化合物、アルコール、アルキル基または脂肪酸とプロピレンオキサイドの化合物、アクリルアミドとアルキル基の化合物、エチレングリコール脂肪酸エステル、グリセリン脂肪酸エステル、ソルビタン脂肪酸エステルエチレンオキサイド付加物、アミノ酸およびその誘導体、ブチルグリコールやヘキシルグリコールなどのグリコールなどであり、好ましくは、ポリエチレングリコールとポリプロピレン／ポリブチレングリコールのブロック共重合体、グリセロールエトキシレートブトキシレート、トリメチロールプロパンエトキシブトキシレート等である。本発明において使用する温度感応性薬剤としては、下限臨界温度が３０℃〜８０℃の範囲、特に４０℃〜６０℃の範囲のものが好ましい。そのために、ＨＬＢ値が１０以上の非イオン性界面活性剤とそれよりＨＬＢ値が低い非イオン性界面活性剤、脂肪酸あるいはアルコールを組み合わせて下限臨界温度を上記の範囲に調節するといった方法を取ることもできる。
【００２７】
誘引溶液の濃度は、誘引溶液の浸透圧が、被処理液の浸透圧より十分高くなるように調整しなければならない。
【００２８】
この誘引溶液には、凝集用固体粒子を添加することもできる。凝集用固体粒子としては、ベントナイト、カオリン、活性炭粉末等が使用でき、無機吸着剤がより望ましい。粒径としては、平均粒径で０．１〜１０μｍ程度のものが望ましい。固体粒子の添加量は、温度感応性薬剤に対する重量比で０．１〜１０％程度が適当である。ただし、これらは温度感応性薬剤と固体粒子との親和性を勘案して決定することが望ましい。
【００２９】
半透膜は水を選択的に透過できるものがよく、正浸透（Forward  Osmosis）膜が好ましいが、逆浸透膜も使用できる。材質は特に制限されないが、例示すれば、酢酸セルロース系、ポリアミド系、ポリエチレンイミン系、ポリスルホン系、ポリベンゾイミダゾール系のものなどを挙げることができる。半透膜の形態も特に制限されず、平膜、管状膜、中空糸などいずれであってもよい。
【００３０】
この半透膜を装着する装置は通常は円筒形あるいは箱型の容器内に半透膜を設置して、この半透膜で仕切られた一方の室に被処理水を流し、他方の室に誘引溶液を流せるものであり、公知の半透膜装置を用いることができ、市販品を用いることもできる。
【００３１】
正浸透工程で被処理水を半透膜を介して誘引溶液と接触させると浸透圧の差によって被処理水中の水が半透膜を通って誘引溶液に移動する。
【００３２】
加温工程
正浸透工程で被処理水から水が移動して希釈された希釈誘引溶液を下限臨界温度以上の温度まで加温して、温度感応性薬剤の少なくとも一部を凝集させる。この凝集は、温度感応性薬剤の濃厚溶液が分離したものである。
【００３３】
加温工程における加温温度は、例えば熱交換器へ導入する熱媒体の流量の調整で制御できる。
【００３４】
この加温工程の熱源には、次の重力分離工程で分離された濃厚溶液の顕熱を使用することが好ましい。
【００３５】
重力分離工程
前記加温工程で相分離した温度感応性薬剤を主体とする濃厚溶液層と水を主体とし少量の温度感応性薬剤を含有する希薄溶液層に重力分離する。この重力分離は下限臨界温度以上の液温で重力分離槽内で静置することによって行うことができる。その際、前記加温工程で凝集した温度感応性薬剤の濃厚溶液は、凝集用固体粒子があるとそれを核とした微細な液滴の状態になる。そして、この状態で重力分離槽に投入されると、温度感応性薬剤の比重が水より重い場合は、濃厚溶液の微細液滴は速やかに沈降し、液滴同士が合一して下に濃厚溶液層が形成される。凝集用固体粒子のほどんとは濃厚溶液層に集まるか、極く一部は上の希薄溶液層に残る。この凝集用固体粒子は温度感応性薬剤の凝集を促進させる作用があり、上層の薬剤濃度の低減（例えば２〜６％⇒０．５〜１．５％）や下層の薬剤濃度の増加（例えば６０〜７０％⇒８０〜８５％）といった効果が得られる。さらに分離時間の短縮(例えば３０分⇒１５分)の効果も得られる。一方、温度感応性薬剤の比重が水より軽い場合、例えば、ブチルグリコールやヘキシルグリコールを温度感応性薬剤に用いた場合は、濃厚溶液層が上層になり希薄溶液層が下層になる。
【００３６】
冷却・循環工程
前記重力分離工程で分離された濃厚溶液は、前記誘引溶液の下限臨界温度より低い温度に冷却することで水に溶解させて誘引溶液に再生する。この温度は広い範囲で採用可能であるが、経済性を考慮すると常温かそれより高い温度が好ましい。この冷却熱源としては、被処理水あるいは正浸透工程において得られた希釈誘引溶液を用いることがエネルギーの効率利用の点で好ましい。この冷却が不十分な場合には、正浸透工程で被処理水から移動してくる水によって温度が下がるので下限臨界温度を発現して相分離し、浸透圧が失われてしまう。
【００３７】
再生した誘引溶液はそのまま循環して再利用できる。
【００３８】
膜処理工程
一方、前記重力分離工程で分離された希薄溶液は、ナノろ過膜や逆浸透膜などで膜ろ過して、そこに残存している温度感応性混合物を除去する。膜ろ過水は淡水であり、飲料水などに利用できる。膜ろ過されないで残った膜濃縮水は、温度感応性混合物が含まれているので、重力分離工程に循環するのがよい。あるいは、濃縮して誘引溶液として正浸透工程に直接返送することもできる。
【００３９】
一方、正浸透工程で得られた膜濃縮水は塩類を高濃度で含んでいるので、これを濃縮して塩類を析出させて分離し、有効利用することができる。
【００４０】
この本発明の方法を図１に模式化して示す。同図に示すように、海水等の被処理水１は、曝気槽１７において、高純度の窒素ガスで曝気されることにより、溶存酸素が窒素ガス中に移行し、被処理水中の溶存酸素が低減される。窒素ガスは循環使用されるが、被処理水から除去した酸素によって純度が低下した場合には、純度が低下した窒素ガス１９を原料としてＰＳＡ装置１８で高純度化された窒素ガス２０として曝気槽に供給される。
【００４１】
曝気槽で溶存酸素が低減された被処理水２１は、正浸透膜装置１０に送入され、半透膜３を通して水が反対側の室に透過されて残った膜濃縮水が排出される。正浸透膜装置１０の反対側の室には誘引溶液４が流入しており、そこで半透膜３を介して被処理水１と向流接触して被処理水１から移行した水で希釈されて正浸透膜装置１０を出る。正浸透膜装置１０を出た希釈誘引溶液５は、熱交換器１６を通って、重力分離された下層液７と熱交換して加温され、加温器１４でさらに加温されて重力分離装置１１に入る。
【００４２】
重力分離装置１１で分離された上層液６は膜ろ過装置１２でろ過され、得られた膜ろ過水８は活性炭等の後処理装置１３でさらに精製されて精製水を得る。膜ろ過装置１２でろ過されなかった膜濃縮水９は重力分離装置１１に返送されて希釈誘引溶液とともに重力分離される。
【００４３】
一方、重力分離装置１１で分離された下層液７は、熱交換器１６を経て冷却器１５で冷却されて、誘引溶液４として正浸透装置１０に返送される。
【実施例】
【００４４】
図１に示す装置を用いた。曝気槽１７において、溶存酸素濃度が６ｍｇ／Ｌの海水１に対して、純度９９％の窒素ガス２０を吹き込み、溶存酸素濃度を１ｍｇ／Ｌに低減させた海水２１を正浸透膜装置に供給した。曝気槽から排出される窒素ガス１９の純度は９６．５％まで低下するが、ＰＳＡ装置１８で９９％に純度を上げた窒素ガスを供給した。この場合、純度９９％の窒素ガス１ｍ３で海水６．２ｍ３を処理できた。
【００４５】
正浸透膜装置１０の半透膜には酢酸セルロース製正浸透膜を、膜ろ過装置１３にはナノろ過膜をそれぞれ使用した。
【００４６】
誘引溶液には、グリセロールエトキシプロポキシレートに、水を加えて８０重量％の溶液とした。この溶液の下限臨界温度は５５℃であった。この下限臨界温度は薬剤濃度によって変わる。上記薬剤濃度と下限臨界温度の関係を調べた結果を図３に示す。
【００４７】
ＵＦ膜により前処理した海水を被処理水１として正浸透膜装置１０に３Ｌ／分の流速で流入させた。膜透過水の量は１．５Ｌ／分であり、正浸透膜装置１０から流出する希釈誘引溶液５の量は３．８Ｌ／分であった。この希釈誘引溶液５は熱交換器１６を経て加熱器１４で６０℃に加温し、重力分離槽１１に流入させた。重力分離槽１１では温度感応性薬剤が凝集し、濃度８０重量％の濃厚溶液７と１％の希薄溶液６に重力分離した。下層である濃厚溶液７は熱交換器１６を経て冷却器１５で４０℃に冷却し、再び正浸透膜装置１０に流入させた。上層である希薄溶液６は膜ろ過装置１２に導入し、膜ろ過水８と膜濃縮水９に分離した。膜濃縮水９は再び重力分離槽１１へ流入させた。膜ろ過水８は後処理装置１３を経て１．５Ｌ／分の淡水を得た。この淡水は飲料水として使用可能であった。
【００４８】
上記のように、海水を純度９９％の窒素ガスで曝気して正浸透膜装置１０に供給した場合、10日間継続して本発明の装置を運転することができた。
【００４９】
これに対して、海水を純度９９％の窒素ガスで曝気することなく正浸透膜装置１０に供給した場合は、5日間でバイオファウリングの現象が発生し、運転を停止した。
【産業上の利用可能性】
【００５０】
本発明の方法は、海水から淡水の製造や、坑井からの随伴水の処理などに広く利用できる。
【符号の説明】
【００５１】
１  被処理水
２  膜濃縮水
３  半透膜
４  誘引溶液
５  希釈誘引溶液
６  上層液
７  下層液
８  膜ろ過水
９  膜濃縮水
１０  正浸透膜装置
１１  重力分離装置
１２  膜ろ過装置
１３  後処理装置
１４  加熱器
１５  冷却器
１６  熱交換器
１７  曝気槽
１８  ＰＳＡ装置
１９  曝気槽排気ガス
２０  曝気槽給気ガス
２１  曝気処理された被処理水
２２  空気
【図１】
2016041412.tif 000003
【図２】
2016041412.tif 000004
【図３】
2016041412.tif 000005